(57)【特許請求の範囲】
【請求項１】
集草容器の開口縁を載せつける容器支持面で前記集草容器を支持する容器支持部を備え、前記容器支持部に支持された集草容器の開口を覆った下降閉じ姿勢と、集草容器に対して上昇した上昇開き姿勢とに揺動昇降自在に支持された容器カバーを備えた草刈機の集草装置であって、
集草容器の前記容器支持部に対する位置決めを行う係止部を前記容器カバーに設けるとともに、前記容器カバーの前記下降閉じ姿勢において、前記係止部が集草容器の開口縁に係合して位置決め作用し、前記容器カバーの前記上昇開き姿勢において、前記係止部が集草容器の開口縁に対して上昇離脱するよう構成し、
前記係止部を、集草容器の前記容器支持部に対する集草装置前後方向での位置決めを行う状態で前記開口縁に係合するよう構成し、
前記集草容器が前記容器支持面に沿わせて集草装置後方側に引き出されるよう前記集草容器に案内作用する摺動ガイドを設け、
前記容器カバーと支持部とにわたって取り付けられて、前記容器カバーを前記支持部に枢支させるとともに前記容器カバーと一体揺動自在な連結金具を設け、
前記係止部を前記連結金具に一体形成してある草刈機の集草装置。
【請求項２】
集草容器の開口縁を載せつける容器支持面で前記集草容器を支持する容器支持部を備え、前記容器支持部に支持された集草容器の開口を覆った下降閉じ姿勢と、集草容器に対して上昇した上昇開き姿勢とに揺動昇降自在に支持された容器カバーを備えた草刈機の集草装置であって、
集草容器の前記容器支持部に対する位置決めを行う係止部を前記容器カバーに設けるとともに、前記容器カバーの前記下降閉じ姿勢において、前記係止部が集草容器の開口縁に係合して位置決め作用し、前記容器カバーの前記上昇開き姿勢において、前記係止部が集草容器の開口縁に対して上昇離脱するよう構成し、
前記容器カバーと支持部とにわたって取り付けられて、前記容器カバーを前記支持部に枢支させるとともに前記容器カバーと一体揺動自在な連結金具を設け、
前記係止部を前記連結金具に一体形成してある草刈機の集草装置。
【請求項３】
前記係止部を、前記集草容器の集草装置横方向に沿う開口縁における集草装置横方向での中心箇所又はその近くに係合するように配備してある請求項１又は２記載の草刈機の集草装置。
【発明の詳細な説明】
【技術分野】
【０００１】
本発明は、集草容器の開口縁を載せつける容器支持面で前記集草容器を支持する容器支持部を備え、前記容器支持部に支持された集草容器の開口を覆った下降閉じ姿勢と、集草容器に対して上昇した上昇開き姿勢とに揺動昇降自在に支持された容器カバーを備えた草刈機の集草装置に関する。
【背景技術】
【０００２】
上記した草刈機の集草装置として、従来、たとえば特許文献１に記載されたものがあった。
特許文献１に記載された集草装置では、集草フレームと、左右の集草部（集草容器に相当）と、案内カバー（容器カバーに相当）とを備えている。
左右の集草部は、角形袋状に縫製された布材で構成されている。左右の集草部は、集草部の上端開口縁に沿って形成された通し孔と、この通し孔に挿通された芯枠とを備えている。芯枠は、集草部の容器口縁を矩形に保持している、
集草フレームは、横フレームと、この横フレームから後ろ向きに延出された４本の支持アームとを備えている。集草フレームは、集草部の口縁を２本の支持アームおよび横フレームの上面に載せつけ支持する。
案内カバーは、ヒンジ金具を介して集草フレームに枢支されており、上下に揺動開閉する。
特許文献１に記載された集草装置では、集草部の芯枠の前端中央から突設した係止部材と、集草フレームの横フレームに固着された固定シール板に切欠き形成した開口とを備えている。係止部材を開口に差し入れて横フレームに係止することにより、集草部の集草フレーム上でのずれ動きが抑制される。
【０００３】
【特許文献１】特開２００５−２７８５７３号公報（段落〔００２３〕−〔００２６〕、図４−８）
【発明の開示】
【発明が解決しようとする課題】
【０００４】
上記した集草装置において、集草容器の容器支持部に対する位置決めを行わせるのに、従来の係止部材と開口とを備えた技術を採用すると、集草容器を容器支持部から取り外しにくい場合があった。
つまり、上記した従来の技術を採用した場合、集草容器を容器支持部から取り外す際、集草容器を容器支持面から持ち上げ操作し、集草容器の係止部材による容器支持部との係合を解除する。ところが、集草容器が回収した刈り草のために重くなっていると、集草容器を持ち上げにくく、集草容器の容器支持部に対する係合を解除しにくい場合があった。
【０００５】
本発明の目的は、集草容器の容器支持部に対する位置決めを行えながら、集草容器の取り外しを行いやすい草刈機の集草装置を提供することにある。
【課題を解決するための手段】
【０００６】
本第１発明は、集草容器の開口縁を載せつける容器支持面で前記集草容器を支持する容器支持部を備え、前記容器支持部に支持された集草容器の開口を覆った下降閉じ姿勢と、集草容器に対して上昇した上昇開き姿勢とに揺動昇降自在に支持された容器カバーを備えた草刈機の集草装置において、
集草容器の前記容器支持部に対する位置決めを行う係止部を前記容器カバーに設けるとともに、前記容器カバーの前記下降閉じ姿勢において、前記係止部が集草容器の開口縁に係合して位置決め作用し、前記容器カバーの前記上昇開き姿勢において、前記係止部が集草容器の開口縁に対して上昇離脱するよう構成し、
前記係止部を、集草容器の前記容器支持部に対する集草装置前後方向での位置決めを行う状態で前記開口縁に係合するよう構成し、
前記集草容器が前記容器支持面に沿わせて集草装置後方側に引き出されるよう前記集草容器に案内作用する摺動ガイドを設け、
前記容器カバーと支持部とにわたって取り付けられて、前記容器カバーを前記支持部に枢支させるとともに前記容器カバーと一体揺動自在な連結金具を設け、
前記係止部を前記連結金具に一体形成してある。
【０００７】
本第１発明の構成によると、容器カバーを下降閉じ姿勢に切り換えると、係止部が容器カバーと共に下降して集草容器の開口縁に係合して位置決め作用する。一方、容器カバーを上昇開き姿勢に切り換えると、係止部が容器カバーと共に上昇して集草容器の開口縁に対して上昇離脱して集草容器の位置決めを解除する。
【０００８】
したがって、係止部の位置決め作用によって集草容器の容器支持部に対する位置決めを行わせて集草容器のずれ動きを抑制できるものでありながら、容器カバーの上昇開き姿勢への切り換え操作によって係止部の離脱操作を一挙に行うことができ、集草容器の容器支持部からの取り外しを行うに当たり、集草容器の係止部による位置決めを解除するための特別な解除操作を行わずに楽に行うことができる。
【０００９】
【００１０】
本第１発明の構成によると、集草容器の係止部による位置決めが解除された状態になると、集草容器を集草装置後方側に引き操作すれば、集草容器が摺動ガイドに案内されて容器支持面に沿って移動し、集草容器の荷重を容器支持面に支持させながら取り出すことができる。
【００１１】
したがって、集草容器を取り出すのに、集草容器の係止部による位置決めを解除するための特別な解除操作が不要であることに加え、集草容器の荷重を容器支持面に支持させながら取り出すことができ、一層楽に取り出すことができる。
本第２発明は、集草容器の開口縁を載せつける容器支持面で前記集草容器を支持する容器支持部を備え、前記容器支持部に支持された集草容器の開口を覆った下降閉じ姿勢と、集草容器に対して上昇した上昇開き姿勢とに揺動昇降自在に支持された容器カバーを備えた草刈機の集草装置において、
集草容器の前記容器支持部に対する位置決めを行う係止部を前記容器カバーに設けるとともに、前記容器カバーの前記下降閉じ姿勢において、前記係止部が集草容器の開口縁に係合して位置決め作用し、前記容器カバーの前記上昇開き姿勢において、前記係止部が集草容器の開口縁に対して上昇離脱するよう構成し、
前記容器カバーと支持部とにわたって取り付けられて、前記容器カバーを前記支持部に枢支させるとともに前記容器カバーと一体揺動自在な連結金具を設け、
前記係止部を前記連結金具に一体形成してある。
本第３発明は、前記係止部を、前記集草容器の集草装置横方向に沿う開口縁における集草装置横方向での中心箇所又はその近くに係合するように配備してある。
【発明を実施するための最良の形態】
【００１２】
以下、本発明の実施例を図面に基づいて説明する。
図１は、草刈機の全体側面である。図２は、草刈機の全体平面図である。これらの図に示すように、この草刈機は、左右一対の操向操作自在な前車輪１，１と、左右一対の駆動自在な後車輪２，２とによって自走する自走車と、この自走車の車体フレーム３の前車輪１と後車輪２との間にリンク機構４を介して連結された草刈装置１０と、前記自走車の後部に設けた本発明の実施例に係る集草装置２０とを備えている。
【００１３】
この草刈機は、草刈作業を行うものである。
すなわち、前記自走車は、前記前車輪１と前記後車輪２とを備える他、車体前部に設けたエンジン５を有した原動部と、車体後部に設けた運転座席６、および運転座席６の前方に設けたステアリングハンドル７を有した搭乗型の運転部とを備えている。この自走車は、前記エンジン５の出力を前記後車輪２に伝達する他、前記草刈装置１０に伝達する。
【００１４】
前記リンク機構４は、車体フレーム３に対して揺動昇降操作されることにより、前記草刈装置１０を、接地ゲージ輪１１が地面に接地した下降作業状態と、前記接地ゲージ輪１１が地面から上昇した上昇非作業状態とに昇降操作する。
【００１５】
前記草刈装置１０を下降作業状態にして自走車を走行させると、草刈装置１０は、刈り刃ハウジング１２の内部で回転するブレード形の刈り刃（図示せず）によって草刈りを行い、刈り草を、刈り刃の回転によって発生する搬送風によって刈り刃ハウジング１２の横一端側に位置する排出筒１３から搬送ダクト１４に送り込み、この搬送ダクト１４に沿わせて前記集草装置２０に供給する。前記集草装置２０は、前記搬送ダクト１４からの刈り草を左右一対の集草容器２１，２１に回収して貯留していく。
【００１６】
前記集草装置２０について詳述する。図３は、前記集草装置２０の後面図である。図５は、前記集草装置２０の縦断側面図である。これらの図に示すように、前記集草装置２０は、前記左右一対の集草容器２１，２１を備える他、前記車体フレーム３の後部に連結装置８を介して連結されていて前記左右一対の集草容器２１，２１を支持する集草フレーム２２と、この集草フレーム２２の上端側に支持された容器カバー２３とを備えている。
【００１７】
図４に示すように、前記集草容器２１は、通気性の布を角筒状に縫製することによって作製されている。この集草容器２１は、集草容器２１の上端部に設けた上方向きの開口２１ａを備えている。前記開口２１ａは、刈り草の投入と排出とを行う開口であり、開口枠体２４によって矩形に保形されている。
【００１８】
図５，６に示すように、前記集草フレーム２２は、前記連結装置８に下端側が連結された支柱部２５と、この支柱部２５の上端側に設けた左右一対の容器支持部２６，２６とを備えており、各容器支持部２６によって一つの前記集草容器２１を吊り下げ支持する。
【００１９】
すなわち、図５，６，７に示すように、前記各容器支持部２６は、前記支柱部２５の上端側に連結された屈曲パイプ材２７ａの集草装置前後向き部分および集草装置横向き部分と、前記屈曲パイプ材２７ａの集草装置横向き部分から集草装置後方向きに延出した折り曲げ板金２７ｂとによって構成されており、集草装置後方向きに開口したコ字形になっている。
各容器支持部２６は、前記屈曲パイプ材２７ａと前記折り曲げ板金２７ｂとの上端面で成る集草装置上方向きの容器支持面２７を備えており、屈曲パイプ材２７ａと折り曲げ板金２７ｂとの間に集草容器２１の上端部を挿入されることにより、集草容器２１の開口縁を容器支持面２７に載せつけて支持する。
【００２０】
前記容器カバー２３は、樹脂材の成型によって作製されている。この容器カバー２３は、これの前端側の下部に取り付けられた左右一対の連結金具２８，２８を介して前記集草フレーム２２の支持部２２ａに枢支されており、前記連結金具２８が備える集草装置横向きの開閉軸芯Ｐまわりに下降閉じ姿勢と上昇開き姿勢とに揺動昇降する。
【００２１】
図５に実線で示す前記容器カバー２３は、下降閉じ姿勢での容器カバーである。この図に示すように、容器カバー２３を前記開閉軸芯Ｐまわりに集草フレーム２２に対して集草装置後方側に下降操作し、容器カバー２３の下端部２３ａ（鍔部）が前記左右一対の容器支持部２６，２６の周囲に位置すると、容器カバー２３は、下降閉じ姿勢になる。すると、容器カバー２３は、前記左右一対の容器支持部２６，２６に支持された集草容器２１の開口２１ａを覆った状態になり、下端部２３ａにおける水平板部２３ｂ〔図８（ａ）参照〕の集草容器２１の開口縁２１ｂに対するストッパ作用によって集草容器２１の容器支持部２６からの浮き上がりを抑制する。さらに、容器カバー２３は、これの集草装置横方向での一端側に連設された導入筒２９を介して前記搬送ダクト１４から容器カバー２３の内部に供給された刈り草を左右一対の集草容器２１，２１の開口２１ａに流動させて落下させる。このとき、容器カバー２３は、これの内面側に設けた導風板３０（図５，６参照）により、導入筒２９からの刈り草を導入筒２９が位置する側とは反対の容器カバー横端側に位置する集草容器２１に向けて流動するよう案内する。前記導風板３０は、容器カバー２３を作製する樹脂材の成型の際に同時に作製してあり、容器カバー２３と一体成形した樹脂製になっている。
【００２２】
図５に示すように、容器カバー２３を下降閉じ姿勢にした場合、容器カバー２３の遊端側に設けた閉じ具３１を、前記折り曲げ板金から延出しているロックアーム３２に係止させることにより、容器カバー２３を下降閉じ姿勢に固定できる。
【００２３】
図５に二点鎖線で示す前記容器カバー２３は、上昇開き姿勢での容器カバーである。この図に示すように、容器カバー２３を前記開閉軸芯Ｐまわりに上昇操作し、前記連結金具２８が前記支持部２２ａによって受け止め支持されると、容器カバー２３は、上昇開き姿勢になる。すると、容器カバー２３は、集草容器２１を容器支持部２６から取り外せるように、左右一対の容器支持部２６，２６の上方を開放する。
【００２４】
図５，６，７に示すように、前記容器カバー２３は、容器カバー２３の前端側の下部に設けた左右一対の係止部３５，３５を備えている。前記各係止部３５は、前記連結金具２８に一体成形したフック体によって構成してある。
【００２５】
図８（ａ）は、前記係止部３５の作用状態での側面図である。この図に示すように、前記容器カバー２３を前記下降閉じ姿勢に切り換えられると、前記係止部３５が容器支持部２６に装着された集草容器２１の開口縁２１ｂを跨いで係止部３５の先端側が開口縁２１ｂの車体後方側に位置し、係止部３５が開口縁２１ｂに係合した作用状態になる。すると、係止部３５は、前記屈曲パイプ材２７ａに設けたストッパー３６とによって草容器２１の開口縁２１ｂを集草装置前後側から挟み、係止部３５とストッパー３６とが集草容器２１の容器支持部２６に対する集草装置前後方向での位置決めを行って集草容器２１の容器支持部２６に対する集草装置前後方向のずれ動きを抑制する。
【００２６】
図８（ｂ）は、前記係止部３５の解除状態での側面図である。この図に示すように、前記容器カバー２３を前記上昇開き姿勢に切り換えられると、前記係止部３５は、集草容器２１の開口縁２１ｂに対して上昇離脱した解除状態になる。すると、係止部３５は、集草容器２１の位置決めを解除し、集草容器２１の容器支持部２６からの取り外しを可能にする。
【００２７】
図４，６，７に示すように、前記各容器支持部２６は、容器支持面２７を構成する前記屈曲パイプ材２７ａの集草装置前後向き部分に付設することによって容器支持面２７の横側部に設けた摺動ガイド３７を備えている。
【００２８】
前記摺動ガイド３７は、集草容器２１を容器支持部２６から集草装置後方側に引き出し操作される際、集草容器２１の開口縁２１ｂが容器支持面２７から外れないように集草容器２１の開口縁２１ｂにガイド面３７ａによって案内作用し、集草容器２１を容器支持面２７に載せて移動させる。
【００２９】
図４，５，６に示すように、前記集草フレーム２２は、前記支柱部２５に連結されたスタンド３８を備えている。
図９に示すように、前記スタンド３８は、集草フレーム２２を機体から取り外した際、前記支柱部２５を接地体にして集草フレーム２２を地面に立てる。
図５に示すように、前記スタンド３８は、集草フレーム２２を機体に取り付けた際、集草容器２１よりも集草装置前方側に位置し、自走車の発進や停止時に集草容器２１が揺れ動いて後車輪２に接触することを防止するよう、スタンド３８の集草装置横向きの接地部３８ａを集草容器２１に支持作用させる。
【００３０】
〔別実施例〕
上記した実施例の係止部３５に替え、係止部が単独で集草容器２１の開口縁を車体前後方向から挟んで集草容器２１の位置決めを行う構成を採用して実施しても、本発明の目的を達成することができる。
【図面の簡単な説明】
【００３１】
【図１】草刈機の全体側面図
【図２】草刈機の全体平面図
【図３】集草装置の後面図
【図４】集草容器と容器支持部の斜視図
【図５】集草装置の縦断側面図
【図６】集草フレームの後面図
【図７】容器支持部の平面図
【図８】（ａ）は、係止部の作用状態での側面図、（ｂ）は、係止部の解除状態での側面図
【図９】スタンドの使用状態での側面図
【符号の説明】
【００３２】
２１        集草容器
２１ｂ      集草容器の開口縁
２３        容器カバー
２６        容器支持部
２７        容器支持面
２８ 連結金具
３５        係止部
３７        摺動ガイド
【図１】
0005074954.tif 000002
【図２】
0005074954.tif 000003
【図３】
0005074954.tif 000004
【図４】
0005074954.tif 000005
【図５】
0005074954.tif 000006
【図６】
0005074954.tif 000007
【図７】
0005074954.tif 000008
【図８】
0005074954.tif 000009
【図９】
0005074954.tif 000010